(57)【要約】【課題】  追いつき再生を行う場合において、追いつき再生から実時間ライブ放送へ出力を切り替える瞬間の音声情報の欠落による悪影響を回避できる記録再生装置を提供すること。【解決手段】  同一ストリームの同時記録再生時において、実時間ライブ放送に追いついた後、再生速度変換部２は、スムーズに再生速度を１倍速に遷移させる。出力切替部４は、そのまま１倍速再生の出力を続ける。１倍速再生中に、切替タイミング指示部３から出力切替部４へ、実時間ライブ放送への切り替えタイミングを指示する。出力切替部４は、切替タイミング指示部３からの指示を受けてから、実時間ライブ放送へ出力を切り替える。【選択図】  図１
2005032408.tif 000002
【特許請求の範囲】
【請求項１】
入力信号を記憶装置に記録すると同時に、当該記憶装置に記録した入力信号を読出信号として読み出す同時記録読出手段と、
前記読出信号の再生速度を音切れ無く変更可能な再生速度変換手段と、
前記入力信号または前記読出信号を択一的に選択して出力装置へ出力する出力切替手段と、
前記出力切替手段の切り替えタイミングを指示する切替タイミング指示手段とを備え、
前記再生速度変換手段は、前記読出信号の再生速度を１倍よりも大きくして再生を開始後、前記入力信号に対する前記読出信号の遅延時間が所定時間を下回った時点で、当該読出信号の再生速度を１倍速とし、
前記出力切替手段は、前記入力信号に対する前記読出信号の遅延時間が所定時間を下回った後、前記切替タイミング指示手段の指示を待ってから、その出力を前記読出信号から前記入力信号に切り替えることを特徴とする、記録再生装置。
【請求項２】
前記切替タイミング指示手段は、ユーザの指示があった時点で前記出力切替手段の切り替えタイミングを指示することを特徴とする、請求項１記載の記録再生装置。
【請求項３】
前記再生速度変換手段は、
前記入力信号の記録時刻に対する前記読出信号の読出時刻の遅延時間が所定の閾値よりも大きいときに前記読出信号の再生速度が段階的に１倍速に近づくように再生速度を随時決定し、その後、当該遅延時間が前記閾値よりも小さくなったときに前記読出信号の再生速度を１倍速とする再生速度決定手段と、
前記読出信号の再生速度を、前記再生速度決定手段で決定された再生速度に変更する速度変換処理手段とを含むことを特徴とする、請求項１記載の記録再生装置。
【請求項４】
前記入力信号に対する前記読出信号の遅延時間が所定時間を下回り、前記再生速度変換手段が前記読出信号の再生速度を１倍速に変更した時点で、その旨を利用者に通知する通知手段をさらに備えた、請求項１記載の記録再生装置。
【請求項５】
前記切替タイミング指示手段は、前記入力信号におけるＣＭ区間を検出するＣＭ区間検出手段を含み、当該ＣＭ区間検出手段で検出されたＣＭ区間において出力信号を切り替えるよう前記出力切替手段に指示を出すことを特徴とする、請求項１記載の記録再生装置。
【請求項６】
前記切替タイミング指示手段は、前記入力信号における無音区間を検出する無音区間検出手段を含み、当該無音区間検出手段で検出された無音区間において出力信号を切り替えるよう前記出力切替手段に指示を出すことを特徴とする、請求項１記載の記録再生装置。
【請求項７】
前記切替タイミング指示手段は、前記入力信号における非音声区間を検出する非音声区間検出手段を含み、当該非音声区間検出手段で検出された非音声区間において出力信号を切り替えるよう前記出力切替手段に指示を出すことを特徴とする、請求項１記載の記録再生装置。
【発明の詳細な説明】
【技術分野】
【０００１】
本発明は、記録再生装置に関し、より特定的には、テレビ放送信号やオーディオ放送信号の同時記録再生機能を持つ記録再生装置に関する。
【背景技術】
【０００２】
従来、テレビ放送やオーディオ放送の同一ストリーム同時記録再生を実現する記録再生装置では、番組の再生方式として追いかけ再生と追いつき再生の２種類が存在する。追いかけ再生は、単純に記録と再生を同時に行うものである。例えば、予約録画の途中で帰宅した場合などに、録画終了を待たずに、番組録画を続けながらその番組を１倍速で最初から再生するものである。また、追いつき再生は、番組録画を続けながらその番組を１倍速よりも速い速度で早回し再生するものである。これにより、番組の見逃した部分を素早く確認し、最終的に、現在放送中の部分に追いつくことができる。追いつき再生の一例として、「自然な音つき１．５倍速」といった、音声ピッチが不変で一定速度の早回し再生を行うものもある（例えば、特許文献１参照）。これにより、早回し再生時にも音声が聞き取りやすくなり、追いつき再生時に音声情報を聞き漏らすことがなくなる。
【０００３】
このような方式を採用する従来の記録再生装置の構成について、図１０〜図１３を用いて説明する。
【０００４】
図１０は、従来の記録再生装置を示す機能ブロック図である。図１０において、従来の記録再生装置は、同時記録読出部１と、再生速度変換部１５と、出力切替部４から構成される。同時記録読出部１は入力信号の記録と読み出しを同時に行い、入力信号に対する読み出した信号（以下、単に読出信号と称す）の遅延時間を検出する。再生速度変換部１５は、読出信号の再生速度を変換する。出力切替部４は、入力信号と読出信号のいずれか一方を選択して出力するものであって、追いつき再生の開始時には読出信号を出力し、同時記録読出部１で検出した上記遅延時間が所定時間を下回ったとき、すなわち実時間ライブ放送に再生映像が追いつく直前に、読出信号から入力信号に出力を切り替える。
【０００５】
図１１は、同時記録読出部１の構成を示すブロック図である。図１１において、同時記録読出部１は、データ記録部５と、ストレージデバイス６と、データ読出部７と、時間差検出部８とで構成される。
【０００６】
データ記録部５は、入力信号をストレージデバイス６に記録するためのものである。データ記録部５は、アナログ信号をデジタル化するためのＡ／Ｄ変換器や、デジタル信号を符号化するエンコーダを内蔵していることも考えられる。エンコーダは、例えばビデオエンコーダとオーディオエンコーダから成り、ビデオエンコーダはｍｐｅｇ１、ｍｐｅｇ２、ｍｐｅｇ４やＷＭＶ（ＷＩＮＤＯＷＳ（登録商標）  Ｍｅｄｉａ  Ｖｉｄｅｏ）などの動画圧縮規格に対応した符号化手段である。また、オーディオエンコーダはＤＶＤ−Ｖｉｄｅｏで採用されているドルビーＡＣ３、ｄｔｓや、ＣＳデジタルで採用されるｍｐｅｇ１−ｌａｙｅｒＩＩ、ＢＳデジタルなどで採用されているｍｐｅｇ２−ＡＡＣ、ＤＶＤ−Ａｕｄｉｏで採用されているＭＬＰ、インターネット上で普及しているｍｐ３（ｍｐｅｇ１−ｌａｙｅｒＩＩＩ）などの音声圧縮規格に対応した符号化手段である。また、記録と再生を同時に実現するためには、ストレージデバイス６に記録する時間とストレージデバイス６から読み出す時間とを分けて、交互に記録と再生を実施するような処理が考えられる。この場合には、データ記録部５に動画像と音声を一時的に記録するためのバッファメモリを設けることが一般的である。
【０００７】
ストレージデバイス６は、デジタル信号の蓄積メディアであり、信号データを数十時間記録できるだけの十分な記録容量を持つものである。例えば、ハードディスクドライブやＤＶＤ−ＲＡＭ、ＤＶＤ−ＲＷ、ＤＶＤ＋ＲＷ、Ｂｌｕ−ｒａｙ  Ｄｉｓｃなどがストレージデバイス６として利用できる。
【０００８】
データ読出部７は、データ記録部５によってストレージデバイス６に記録されたデータを読み出して読出信号として出力する。データ読出部７には、動画像と音声を一時的に記録するためにバッファメモリを設けるのが一般的である。これにより、同時記録再生において、ストレージデバイス６に信号を記録する時間とストレージデバイス６から信号を読み出す時間とを分けて、交互に記録と再生を実施する処理を実現する。また、データ読出部７は、デジタル信号を復号化するデコーダが内蔵されていることも考えられる。デコーダは、例えば、ビデオデコーダとオーディオデコーダから成る。ビデオデコーダはｍｐｅｇ１、ｍｐｅｇ２、ｍｐｅｇ４やＷＭＶ（ＷＩＮＤＯＷＳ（登録商標）  Ｍｅｄｉａ  Ｖｉｄｅｏ）などの動画圧縮規格に対応した復号化手段が挙げられる。オーディオデコーダはＤＶＤ−Ｖｉｄｅｏで採用されているドルビーＡＣ３、ｄｔｓや、ＣＳデジタルで採用されるｍｐｅｇ１−ｌａｙｅｒＩＩ、ＢＳデジタルなどで採用されているｍｐｅｇ２−ＡＡＣ、ＤＶＤ−Ａｕｄｉｏで採用されているＭＬＰ、インターネット上で普及しているｍｐ３（ｍｐｅｇ１−ｌａｙｅｒＩＩＩ）などの音声圧縮規格に対応した復号化手段が挙げられる。
【０００９】
時間差検出部８は、データ記録部５とデータ読出部７とで扱う信号の時間軸上の差を検出する。時間差検出部８は、追いつき再生中において、データ記録部５で記録処理中の信号のタイムスタンプとデータ読出部７で読出処理中の信号のタイムスタンプを比較し、その時間差を検出する。
【００１０】
図１０に戻り、再生速度変換部１５は、図示しない動画再生速度変換部と音声再生速度変換部とから構成される。動画再生速度変換部は、ｍｐｅｇ規格であれば、ＰピクチャとＢピクチャをスキップする再生方法や、Ｂピクチャのみをスキップする再生方法などを用いて速度変換をする。音声再生速度変換部は、例えば繰り返し時間波形部分の間引き・挿入を行うことで時間軸データの圧縮・伸張を実現するＰＩＣＯＬＡという方式や、一定の時間間隔で近傍のフレームデータのクロスフェードを実施することにより圧縮・伸張を実現するＯＬＡ、近傍のフレームデータ間の相関を計算し、もっとも相関の大きい部分にずらしてクロスフェードすることで高音質に圧縮・伸張を実現するＳＯＬＡといった方式を用いて音声再生速度を変換する。そして、ユーザが機器内蔵ボタンやリモコンなどを操作することによって追いつき再生を選択したときは、再生速度変換部１５は、早回し再生を行い、録画中の実時間ライブ放送に追いついたときには速度変換処理を中止する。同時に、同時記録読出部１（時間差検出部８）は、実時間ライブ放送に追いついたことを出力切替部４に通知する。上記通知を受けた出力切替部４は、即時に出力を実時間ライブ放送に切り替える。
【００１１】
このように、同時記録再生と再生速度変換を組み合わせることで、例えば、放送されている番組の録画を開始し、一定時間後に録画を続けながら同時に番組冒頭から１．５倍速で再生を開始して、実時間ライブ放送に自然に追いつくという、追いつき再生機能を実現することができる。図１２は、出力切替部４の出力（読出信号または入力信号）を示している。図１２において、横軸は実時間を示し、縦軸は放送時間を示す。図１２は、実時間ライブ放送（ここでは２時間の番組とする）が開始された時点で録画を開始し、そこから２０分後に追いつき再生（約１．４倍速の早回し再生）を開始した場合の例である。例えば、録画開始から５０分後の時点では、番組開始から４０分後の時点の放送内容が出力される。追いつき再生を開始してから５５分後（すなわち録画開始から７５分後）には追いつき再生が実時間ライブ放送に追いつき、この時点で出力切替部４の出力が読出信号（追いつき再生）から入力信号（実時間ライブ放送）へと切り替わる。
【特許文献１】特開２００１−１１９６７１号公報
【発明の開示】
【発明が解決しようとする課題】
【００１２】
しかしながら、上述したような従来の記録再生装置には、以下に示す問題点がある。従来の記録再生装置では、実時間ライブ放送に追いついたとき、ただちに同時録画再生状態から実時間ライブ放送へ切り替える。しかし、記録処理においては、入力信号のエンコード処理、記憶装置への記録処理、記録装置からの読出し処理、デコード処理という手順を踏むのに対し、実時間ライブ放送ではこのような手順は不要である。そのため、入力信号と読出信号の間には必ずタイムラグが発生する。従って、実時間ライブ放送に切り替える瞬間に音声情報の欠落が生じる。しかも、ユーザは上記の切替タイミングを制御することができない。そのため、上記の切り替えのタイミングが、例えば役者が台詞を言っているときと重なった場合、その台詞が出力されず、ユーザに不快感を与えてしまうこととなる。図１３は、図１２の切り替えタイミング（７５分前後の時点）における音声情報の欠落の様子を示している。図１３において、上記タイムラグが例えば１秒である場合、従来の記録再生装置は、番組開始から７５分００秒時点の放送内容を出力したときに、実時間ライブ放送に追いついたと判断し出力を切り替える。その結果、７５分００秒〜７５分０１秒の間の音声情報が再生されず、欠落することになる。
【００１３】
それ故に、本発明の目的は、追いつき再生を行う場合において、追いつき再生から実時間ライブ放送へ出力を切り替える瞬間の音声情報の欠落による悪影響を回避することのできる記録再生装置を提供することである。
【課題を解決するための手段】
【００１４】
第１の発明は、入力信号を記憶装置に記録すると同時に、当該記憶装置に記録した入力信号を読出信号として読み出す同時記録読出手段と、読出信号の再生速度を音切れ無く変更可能な再生速度変換手段と、入力信号または読出信号を択一的に選択して出力装置へ出力する出力切替手段と、出力切替手段の切り替えタイミングを指示する切替タイミング指示手段とを備え、再生速度変換手段は、読出信号の再生速度を１倍よりも大きくして再生を開始後、入力信号に対する読出信号の遅延時間が所定時間を下回った時点で、当該読出信号の再生速度を１倍速とし、出力切替手段は、入力信号に対する読出信号の遅延時間が所定時間を下回った後、切換タイミング指示手段の指示を待ってから、その出力を読出信号から入力信号に切り替えることを特徴とする、記録再生装置である。なお、再生速度変換手段は、同時記録読出手段から出力される読出信号を速度変換してもよいし、出力切替手段から出力される読出信号を速度変換してもよい。
【００１５】
第２の発明は、第１の発明において、切替タイミング指示手段は、ユーザの指示があった時点で出力切替手段の切り替えタイミングを指示することを特徴とする。
【００１６】
第３の発明は、第１の発明において、再生速度変換手段は、入力信号の記録時刻に対する読出信号の読出時刻の遅延時間が所定の閾値よりも大きいときに読出信号の再生速度が段階的に１倍速に近づくように再生速度を随時決定し、その後、当該遅延時間が閾値よりも小さくなったときに読出信号の再生速度を１倍速とする再生速度決定手段と、読出信号の再生速度を、再生速度決定手段で決定された再生速度に変更する速度変換処理手段とを含むことを特徴とする。
【００１７】
第４の発明は、第１の発明において、入力信号に対する読出信号の遅延時間が所定時間を下回り、再生速度変換手段が読出信号の再生速度を１倍速に変更した時点で、その旨を利用者に通知する通知手段をさらに備えたことを特徴とする。なお、通知手段は、画面への表示でもよいし、音声による通知などでもよい。
【００１８】
第５の発明は、第１の発明において、切替タイミング指示手段は、入力信号におけるＣＭ区間を検出するＣＭ区間検出手段を含み、当該ＣＭ区間検出手段で検出されたＣＭ区間において出力信号を切り替えるよう出力切替手段に指示を出すことを特徴とする。
【００１９】
第６の発明は、第１の発明において、切替タイミング指示手段は、入力信号における無音区間を検出する無音区間検出手段を含み、当該無音区間検出手段で検出された無音区間において出力信号を切り替えるよう出力切替手段に指示を出すことを特徴とする。
【００２０】
第７の発明は、第１の発明において、切替タイミング指示手段は、入力信号における非音声区間を検出する非音声区間検出手段を含み、当該非音声区間検出手段で検出された非音声区間において出力信号を切り替えるよう出力切替手段に指示を出すことを特徴とする。
【発明の効果】
【００２１】
上記第１乃至第４の発明によれば、同時記録再生中の記録と再生の時間差を監視し、実時間ライブ放送に追いつく直前に、読出信号の再生速度を１倍速に遷移し、その後、切替タイミング指示手段からの指示に基づいて、音声情報欠落の影響の少ない適切なタイミングで実時間ライブ放送に切り替えることができる。そして、外部から入力される制御信号をユーザが操作できるようにすることで、ユーザにとって音声不要なシーンを自ら適宜選んで実時間ライブ放送に切り替えることができる。
【００２２】
上記第５の発明によれば、ＣＭ区間を自動検出し、ＣＭ区間中に実時間ライブ放送に切り替えることできる。その結果、番組中での音声の不連続などの違和感を防ぐことができる。
【００２３】
上記第６の発明によれば、無音区間を検出し、無音区間で実時間ライブ放送に遷移することで、番組中であっても音声に途切れの無い遷移を実現することができる。
【００２４】
上記第７の発明によれば、非音声区間を検出し、非音声区間で実時間ライブ放送に遷移することで、番組中に無音区間がなくても、台詞等の人間の声に途切れの無い切り替えを実現することができる。
【発明を実施するための最良の形態】
【００２５】
以下、本発明の実施の形態について、図面を参照して説明する。
【００２６】
（第１の実施形態）
本発明の第１の実施形態における記録再生装置について、図１〜図５を参照しながら説明する。図１は、第１の実施形態における記録再生装置の構成を示すブロック図である。図１において、記録再生装置は、同時記録読出部１と、再生速度変換部２と、切替タイミング指示部３と、出力切替部４とで構成される。
【００２７】
同時記録読出部１は、入力信号の記憶装置への記録と、記録装置からの信号の読出を同時に行う。更に、同時記録読出部１は、入力信号と読出信号の時間軸上での差を出力する。ここで入力信号とは、チューナ等で直接受信する信号をいう。入力信号は、テレビ放送信号のような動画像と音声からなる信号であってもよいし、ラジオ放送信号のような音声だけの信号であってもよい。また、読出信号とは、記憶装置から読み出された信号、すなわち、一旦記憶装置に記録された後にこの記憶装置から読み出された入力信号のことをいう。再生速度変換部２は、同時記録読出部１から出力される読出信号の再生速度を変換する。切替タイミング指示部３は、読出信号から入力信号に出力を切り替えるタイミングを出力切替部４に指示する。出力切替部４は、切替タイミング指示部３の指示に従って、出力を読出信号から入力信号へ切り替える。
【００２８】
図２は、同時記録読出部１と再生速度変換部２の構成を示すブロック図である。図２において、同時記録読出部１は、データ記録部５と、ストレージデバイス６と、データ読出部７と、時間差検出部８とで構成される。また、再生速度変換部２は、再生速度決定部９と、速度変換処理部１０とで構成される。
【００２９】
データ記録部５は、入力信号を記憶装置（ストレージデバイス６）に記録するためのものである。データ読出部７は、データ記録部５によって記録された信号をストレージデバイス６から読み出す。更に、データ読出部７は、ストレージデバイス６から読み出した信号（読出信号）を、速度変換処理部１０へ出力する。時間差検出部８は、入力信号と読出信号のタイムスタンプの比較等を行うことで、両者の時間軸上の差を検出する。更に、時間差検出部８は、上記の差を時間差情報として再生速度決定部９へ通知する。
【００３０】
再生速度決定部９は、時間差検出部８が検出した時間差情報を基に読出信号の再生速度を決定する。更に、再生速度決定部９は、読出信号の再生速度を上記決定した再生速度に変換するよう、速度変換処理部１０に指示する。再生速度決定部９は、時間差検出部８が検出した時間差情報が所定の値（例えば、３００ミリ秒）以上のときには、再生速度を１倍速より大きい任意の速度に決定する。一方、上記時間差情報が所定の値以下になった時点で、再生速度を１倍速と決定する。ここで、所定の値としては、例えば同時記録読出部１と再生速度変換部２における遅延量の総和より大きい値であって、かつできるだけ小さい値とするのが好ましい。なぜなら、所定の値が大きいほど、実時間ライブ放送への切り替え時に欠落する音声情報量が多くなるからである。なお、再生速度決定部９は、例えばユーザが機器内蔵ボタンやリモコンなどを用いて入力した指示に従って再生速度を決定できる。すなわち、追いつき再生時の再生速度をユーザが任意に指定できる。すなわち、ユーザは、追いつき再生中に、再生速度を速めたり遅めたり、さらには一時停止したりすることができる。
【００３１】
速度変換処理部１０は、再生速度決定部９で決定された再生速度で、データ読出部７から出力される読出信号の再生速度の変換を行う。なお、速度変換処理部１０は、読出信号の再生速度を音切れ無く変更（例えば１．５倍速から１倍速への変更）する機能を備えているものとする。このように再生速度を音切れ無く変更する技術は公知であるため、ここでは説明を省略する。速度変換処理部１０は、時間差検出部８により検出された時間差情報が任意の値を下回ったとき、再生速度決定部９の指示を受けて、読出信号の再生速度を音切れ無く１倍速に移行させる。
【００３２】
図１に戻り、切替タイミング指示部３は、出力の切替タイミングを出力切替部４に指示する。本実施形態では、切替タイミングの指示は、ユーザが機器内蔵ボタンやリモコンなどを操作することによって実現される。
【００３３】
出力切替部４は、切替タイミング指示部３からの指示を受けて、ディスプレイやスピーカ等に出力する信号を入力信号（すなわち録画中の実時間ライブ放送）あるいは読出信号（追いつき再生）のいずれかに切り替える。ここで、入力信号と読出信号との時間軸上の差（すなわち、時間差検出部８が検出した時間差情報）が任意の値を下回ったとき、出力切替部４は、再生速度変換部２から１倍速で再生される読出信号を出力し続ける。すなわち、従来は追いつき再生が実時間ライブ放送に追いついたとき、出力切替部４が即座に出力を読出信号から入力信号へ切り替えていたのに対して、本発明では出力切替部４は、即座には出力する信号を切り替えずに、読出信号の１倍速での再生を続けることになる。そして、切替タイミング指示部３から切り替え指示があった時点で、出力切替部４は、読出信号から入力信号へ出力を切り替える。
【００３４】
なお、入力信号と読出信号（すなわち、実時間ライブ放送と追いつき再生）との時間差が十分大きいときにはユーザの指定した再生速度から追いつき再生を行うが、その後実時間ライブ放送に追いつくまでの間、徐々に再生速度を変化させてもよい。例えば、入力信号と読出信号との時間差が大きいときは再生速度をユーザの決めた速度（例えば１．５倍速）に設定して追いつき再生し、時間差が小さくなるにつれて再生速度を徐々に１倍速に近づけていく（例えば１．５倍速→１．２倍速）。そして、時間差が所定値以下となった時点で再生速度を１倍速に設定するような制御方法が考えられる。また、時間差検出部８は、再生速度が一旦１倍速に設定された後も引き続き入力信号と読出信号の時間差を監視しつづけていてもよい。例えば、上記１倍速での再生中にユーザが一時停止操作等を行うと、入力信号と読出信号との時間差が所定の値より大きくなる。この場合に、時間差検出部８は、再生速度を１倍速再生から１倍速より大きい任意の速度へ切り替えるよう速度変換処理部１０へ指示を出してもよい。
【００３５】
なお、追いつき再生において、実時間ライブ放送に追いついたときには１倍速で再生を続け、ユーザの指示により実時間ライブ放送に出力を切り替える処理を行うものすべてが、ここで述べる実施の形態に含まれる。
【００３６】
このように、第１の実施形態では、追いつき再生が実時間ライブ放送に追いついても、すぐに実時間ライブ放送に切り替えずに１倍速での追いつき再生を続ける。そして、ユーザが出力切替部４に切り替え指示を出すことで、任意のタイミングで実時間ライブ放送に切り替えることができる。そのため、ユーザは例えば音声のないタイミングを見計らって実時間ライブ放送に切り替えることができる。その結果、実時間ライブ放送に切り替わる瞬間の音声情報の欠落による悪影響を最小限にとどめることができる。図３は、本実施形態における出力切替部４の出力（読出信号または入力信号）を示している。図３において、横軸は実時間、縦軸は放送時間を示す。図３は、実時間ライブ放送（ここでは２時間の番組とする）が開始された時点で録画を開始し、そこから２０分後に追いつき再生（約１．４倍速の早回し再生）を開始した場合の例である。例えば、録画開始から５０分後の時点では、番組開始から４０分後の時点の放送内容が出力される。追いつき再生を開始してから５５分後（すなわち録画開始から７５分後）には追いつき再生が実時間ライブ放送に追いつく。このとき、出力切替部４は、すぐには出力を切り替えずにそのまましばらく１倍速で再生を続ける。そして、録画開始から１００分後の時点でユーザが切り替え指示を出すことで、出力切替部４の出力が読出信号（追いつき再生）から入力信号（実時間ライブ放送）へ切り替わる。つまり、図１２と比較して、実時間ライブ放送に出力を切り替えるタイミングをユーザが任意に制御することができる。
【００３７】
なお、再生速度変換部２は、出力切替部４から出力される信号について、速度変換処理を行ってもよい。図４は、出力切替部４から出力される信号について速度変換処理を行う場合における記録再生装置の機能構成を示すブロック図である。この場合、出力切替部４は、出力する信号が入力信号か読出信号かを判別するための情報と、同時記録読出部１で検出された時間差情報とを付加した出力信号を、再生速度変換部２へ出力する構成にすればよい。そして、再生速度変換部２は、出力切替部４から出力された信号が、入力信号か読出信号かを判定する手段を有する構成にすればよい。再生速度変換部２は、出力切替部４から出力された信号が読出信号のときは、当該読出信号に付加されている時間差情報に基づき所定の再生速度に変換した読出信号を出力する。一方、出力切替部４から出力された信号が入力信号のとき、再生速度変換部２は、再生速度変換処理を行わずに入力信号をそのまま出力する。
【００３８】
また、上記記録再生装置は、１倍速再生に遷移したこと（すなわち、実時間ライブ放送に追いついたこと。ただし、厳密にはわずかに遅れている）をユーザに通知する通知部を有していてもよい。図５は、図１の構成に通知部１１が付加されたときの構成を示す図である。通知部１１は、再生速度変換部２において読出信号の再生速度が１倍速に遷移したことを受けて、１倍速再生に遷移したことをユーザに知らせる。あるいは、出力を実時間ライブ放送へ切り替えることができる状態になったことを、ユーザに通知するものである。上記通知の方法は任意である。例えば画面上に１倍速遷移の旨を表示してもよいし、アラーム等の音を用いて通知してもよい。また、記録再生装置上のランプを点滅させて通知してもよい。
【００３９】
また、上記実時間ライブ放送への切り替え後は、そのまま記録処理を続けてもよいし、記録処理を中止してもよい。記録処理を続ける場合には、記録した番組全てを後に繰り返して視聴できる点で有利であり、記録処理を中止した場合は、記録装置の容量節約が可能であるという点で有利である。
【００４０】
（第２の実施形態）
次に、図６を参照して、本発明の第２の実施形態における記録再生装置について説明する。図６は、第２の実施形態にかかる記録再生装置の一例を示した図である。図６において、切替タイミング指示部３は、第１の実施形態で図１を用いて説明した切替タイミング指示部３に、ＣＭ区間検出部１２を加えたものに相当し、他の構成部は、第１の実施形態と同様である。従って、同一部位に同一符号を付して、詳細な説明を省略する。
【００４１】
図６において、ＣＭ区間検出部１２は、現在記録中の入力信号（実時間ライブ放送）を分析し、ＣＭ区間中か否かを検出する。ここで、ＣＭ区間検出部１２がＣＭ区間を検出する方法としては、音声のステレオ放送とモノラル乃至２ヶ国語放送を検知しステレオ放送が部分挿入されていればＣＭ区間と判定する方法が考えられる。なお、ＣＭ区間検出方法はこれに限らず、動画像の切り替わりタイミングや無音区間出現の周期性などからＣＭ区間の検出を行う方法であってもよい。
【００４２】
再生速度決定部９は、第１の実施形態と同様に、時間差検出部８が検出した時間差情報が所定の値を下回ったとき、再生速度を１倍速に決定する。そして、再生速度決定部９は、速度変換処理部１０に１倍速での再生を指示することに加えて、切替タイミング指示部３にも上記決定を通知する。そして、切替タイミング指示部３は、上記の通知を受けた後、ユーザのリモコン等の操作により入力される制御信号ではなく、ＣＭ区間検出部１２から出力されるＣＭ区間中か否かの情報に基づいて、出力を読出信号から入力信号へ切り替える指示を出力切替部４に出す。すなわち、実時間ライブ放送に追いついた後の１倍速再生中にＣＭ区間検出部１２がＣＭ区間を検出すれば、切替タイミング指示部３は、出力切替部４に切り替え指示を出す。そして、出力切替部４は、読出信号から入力信号へ出力を切り替える。図７は、このときの出力切替部４の出力の様子を示している。
【００４３】
このように、第２の実施形態では、追いつき後の１倍速での再生中にＣＭ区間を検出し、ＣＭ区間中に追いつき再生から実時間ライブ放送へ自動的に移行する。そのため、ユーザの切り替えタイミング指示操作を要することなく、番組視聴中の音声の不連続を避けることができる。
【００４４】
（第３の実施形態）
次に、図８を参照して、本発明の第３の実施形態における記録再生装置について説明する。図８は、第３の実施形態にかかる記録再生装置の一例を示した図である。図８において、切替タイミング指示部３は、第２の実施形態で図６を用いて説明したＣＭ区間検出部１２を、無音区間検出部１３に置き換えたものに相当し、他の構成部は、第２の実施形態と同様である。そのため、同一部位に同一符号を付して、詳細な説明を省略する。
【００４５】
図８において、無音区間検出部１３は、現在記録中の入力信号を分析し、無音区間中か否かを判定する。ここで、無音区間の検出方法としては、通常の音声パワレベルによる音声検出方式が考えられる。これは、入力信号の音声パワレベルを予め定めた一定レベルの閾値と比較する検出方式であってもよいし、入力信号を継続的に監視して無音レベルを推定し、その推定結果に基づいて閾値を適宜変化させるレベル依存性のない検出方式であってもよい。
【００４６】
切替タイミング指示部３は、上述の第２の実施形態と同様に、無音区間検出部１３から出力される無音区間か否かの情報に基づいて、出力を読出信号から入力信号へ切り替える指示を出力切替部４にする。すなわち、実時間ライブ放送に追いついた後の１倍速再生中に無音区間検出部１３が無音区間を検出すれば、切替タイミング指示部３は、出力切替部４に切り替え指示を出す。そして、出力切替部４は、読出信号から入力信号に出力を切り替える。
【００４７】
このように、第３の実施形態では、追いつき後の１倍速での再生中に無音区間を検出し、無音区間中に追いつき再生から実時間ライブ放送へ自動的に移行する。そのため、ユーザにとって、番組中であっても音切れのない実時間ライブ放送への遷移を実現することができる。
【００４８】
（第４の実施形態）
次に、図９を参照して、本発明の第４の実施形態における記録再生装置について説明する。図９は、第４の実施形態にかかる記録再生装置の一例を示した図である。図９において、切替タイミング指示部３は、第２の実施形態で図６を用いて説明したＣＭ区間検出部１２を、非音声区間検出部１４に置き換えたものに相当し、他の構成部は、第２の実施形態と同様である。従って、同一部位に同一符号を付して、詳細な説明を省略する。
【００４９】
図９において、非音声区間検出部１４は、現在記録中の入力信号を分析し、入力信号が非音声区間中か否かを判定する。非音声区間とは、有音ではあるが、音が人間の声ではない区間をいう。例えば、拍手の音だけのシーンなどが非音声区間に該当する。ここで、非音声区間の検出方法としては、通常の音声パワレベルによる音声検出手段と母音ピッチ検出手段とを組み合わせることで、パワレベルが大きく母音ピッチ検出できる部分を音声とし、それ以外を非音声と判定する方法が考えられる。音声パワレベルによる音声検出手段については、第３の実施形態で用いたものと同様の方法が考えられる。母音ピッチ検出手段については、自己相関関数算出によりピッチの繰り返し波形を検出する方法や、ケプストラム算出によりピッチ周期性の有無を検出する方法が考えられる。
【００５０】
切替タイミング指示部３は、上述の第２の実施形態と同様に、非音声区間検出部１４から出力される非音声区間か否かの情報に基づき、読出信号から入力信号へ出力を切り替える指示を、出力切替部４に出す。すなわち、実時間ライブ放送に追いついた後の１倍速再生中に非音声区間検出部１４が非音声区間を検出すれば、切替タイミング指示部３は、出力切替部４に切り替え指示を出す。そして、出力切替部４は、出力を読出信号から入力信号に切り替える。
【００５１】
このように、第４の実施形態では、追いつき後の１倍速での再生中に非音声区間を検出し、非音声区間中に追いつき再生から実時間ライブ放送へ自動的に移行する。そのため、番組中に無音区間がない場合でも、人間の音声には途切れのない実時間ライブ放送への遷移を実現することができる。
【００５２】
なお、本実施形態では切替タイミング指示部３は、非音声区間検出部１４のみを有しているが、本発明はこれに限らず、切替タイミング指示部３は、更に上述のＣＭ区間検出部１２と無音区間検出部１３とを組み合わせて有していてもよい。また、切替タイミングの決定についても、画像や音声情報から切替タイミングを決定するような方法や、ｍｐｅｇ７のようにインデキシング（タグ情報）付きの圧縮データなどの場合にはそのタグ情報に基づいて切替タイミングを決定するような方法を用いてもよい。
【産業上の利用可能性】
【００５３】
本発明にかかる記録再生装置は、追いつき再生中において実時間ライブ放送に追いついたとき、すぐに実時間ライブ放送には切り替えずに１倍速再生を続けて最適なタイミングを待って切り替えるため、ユーザにとって違和感のない切り替えを行うことができ、ＤＶＤレコーダやＨＤＤレコーダ等の用途に有用である。
【図面の簡単な説明】
【００５４】
【図１】本発明の第１の実施形態に係る記録再生装置を示す機能ブロック図
【図２】図１の同時記録読出部１と再生速度変換部２の機能構成を示すブロック図
【図３】本発明の第１の実施形態に係る出力切替部４の出力を示す図
【図４】出力切替部から出力される信号について再生速度変換処理を行う場合における記録再生装置を示す機能ブロック図
【図５】本発明の第１の実施形態に通知部を加えた記録再生装置を示す機能ブロック図
【図６】本発明の第２の実施形態に係る記録再生装置を示す機能ブロック図
【図７】本発明の第２の実施形態に係る出力切替部４の出力を示す図
【図８】本発明の第３の実施形態に係る記録再生装置を示す機能ブロック図
【図９】本発明の第４の実施形態に係る記録再生装置を示す機能ブロック図
【図１０】従来の記録再生装置を示す機能ブロック図
【図１１】図１０の同時記録読出部１と再生速度変換部１５の機能構成を示すブロック図
【図１２】従来の記録再生装置おける出力切替部４の出力を示す図
【図１３】従来の記録再生装置おける出力切替部４の出力切替時における情報の欠落を示す図
【符号の説明】
【００５５】
１  同時記録読出部
２  再生速度変換部
３  切替タイミング指示部
４  出力切替部
５  データ記録部
６  ストレージデバイス
７  データ読出部
８  時間差検出部
９  再生速度決定部
１０  速度変換処理部
１１  通知部
１２  ＣＭ区間検出部
１３  無音区間検出部
１４  非音声区間検出部
１５  再生速度変換部
【図１】
2005032408.tif 000003
【図２】
2005032408.tif 000004
【図３】
2005032408.tif 000005
【図４】
2005032408.tif 000006
【図５】
2005032408.tif 000007
【図６】
2005032408.tif 000008
【図７】
2005032408.tif 000009
【図８】
2005032408.tif 000010
【図９】
2005032408.tif 000011
【図１０】
2005032408.tif 000012
【図１１】
2005032408.tif 000013
【図１２】
2005032408.tif 000014
【図１３】
2005032408.tif 000015